【手続補正書】
【提出日】平成20年2月4日(2008.2.4)
【手続補正１】
【補正対象書類名】特許請求の範囲
【補正対象項目名】全文
【補正方法】変更
【補正の内容】
【特許請求の範囲】
【請求項１】
アモルファス金属の磁性体を含むコアと、前記コアに回巻された１次側巻線及び２次側巻線を含む巻線群とを有するトランスと、
１組の１次側端子及び１組の２次側端子と、
前記トランスの１次側巻線の一端と前記１組の１次側端子の一方との間、又は、前記トランスの２次側巻線の一端と前記１組の２次側端子の一方との間に直列に接続されると共に、前記巻線群の内側又は外側に固定され、前記アモルファス金属のキューリー点より低い温度で切断されるヒューズと、
を具備する磁気デバイス。
【請求項２】
アモルファス金属の磁性体を含むコアと、前記コアに回巻された１次側巻線及び２次側巻線を含む巻線群とを有するトランスと、
１組の１次側端子及び１組の２次側端子と、
前記巻線群の内側又は外側に固定され、前記アモルファス金属のキューリー点より低い温度に温度特性の変化点を有する温度センサと、
を具備する磁気デバイス。
【請求項３】
アモルファス金属の磁性体を含む少なくとも１つのコアと、前記少なくとも１つのコアに回巻された１次側巻線及び２次側巻線を含む巻線群を有し、１次側巻線と２次側巻線との間で電磁結合により電力を伝送する電力伝送回路と、
１組の１次側端子及び１組の２次側端子と、
（ｉ）前記電力伝送回路の１次側巻線の一端と前記１組の１次側端子の一方との間、又は、前記電力伝送回路の２次側巻線の一端と前記１組の２次側端子の一方との間に直列に接続されると共に、前記巻線群の内側又は外側に固定され、前記アモルファス金属のキューリー点より低い温度で切断されるヒューズ、又は、（ii）前記巻線群の内側又は外側に固定され、前記アモルファス金属のキューリー点より低い温度に温度特性の変化点を有する温度センサと、
を具備する磁気デバイス。
【請求項４】
前記ヒューズ又は温度センサが、前記巻線群の内側に巻き込まれている、請求項１〜３のいずれか１項記載の磁気デバイス。
【請求項５】
アモルファス金属の磁性体を含むコアと、前記コアに回巻された巻線とを有するチョークコイルと、
第１の端子及び第２の端子と、
前記チョークコイルの巻線の一端と前記第１の端子との間、又は、前記チョークコイルの巻線の他端と前記第２の端子との間に直列に接続されると共に、前記巻線の内側又は外側に固定され、前記アモルファス金属のキューリー点より低い温度で切断されるヒューズと、
を具備する磁気デバイス。
【請求項６】
アモルファス金属の磁性体を含むコアと、前記コアに回巻された巻線とを有するチョークコイルと、
第１の端子及び第２の端子と、
前記巻線の内側又は外側に固定され、前記アモルファス金属のキューリー点より低い温度に温度特性の変化点を有する温度センサと、
を具備する磁気デバイス。
【請求項７】
前記ヒューズ又は温度センサが、前記巻線の内側に巻き込まれている、請求項５又は６記載の磁気デバイス。
【請求項８】
請求項２記載の磁気デバイスと、
前記トランスの１次側巻線と直列に接続され、駆動信号に従って前記トランスの１次側巻線に交流電流を流すスイッチング素子と、
前記トランスの２次側巻線に発生する電圧に基づいて出力電圧を生成する出力回路と、
前記トランスの１次側巻線に流れる電流及び／又は前記出力回路の出力電圧に基づいて前記駆動信号を生成する制御回路と、
を具備し、前記制御回路が、前記温度センサを用いて得られる検出結果が前記アモルファス金属のキューリー点よりも低い温度を示すように前記トランスの１次側巻線に流れる電流を制限する、スイッチング電源回路。
【請求項９】
請求項６記載の磁気デバイスと、
前記チョークコイルの巻線と直列に接続され、駆動信号に従って前記チョークコイルの巻線に電流を流すスイッチング素子と、
前記チョークコイルと前記スイッチング素子との接続点に発生する電圧に基づいて出力電圧を生成する出力回路と、
前記チョークコイルの巻線に流れる電流及び／又は前記出力回路の出力電圧に基づいて前記駆動信号を生成する制御回路と、
を具備し、前記制御回路が、前記温度センサを用いて得られる検出結果が前記アモルファス金属のキューリー点よりも低い温度を示すように前記チョークコイルの巻線に流れる電流を制限する、スイッチング電源回路。
【請求項１０】
請求項２記載の磁気デバイスと、前記トランスの１次側巻線と直列に接続され、駆動信号に従って前記トランスの１次側巻線に交流電流を流すスイッチング素子と、前記トランスの２次側巻線に発生する電圧に基づいて出力電圧を生成する出力回路とを含むスイッチング電源回路の制御方法であって、
前記トランスの１次側巻線に流れる電流及び／又は前記出力回路の出力電圧に基づいて前記駆動信号を生成するステップ（ａ）と、
前記温度センサを用いて温度に関する検出結果を得るステップ（ｂ）と、
ステップ（ｂ）において得られる検出結果が前記アモルファス金属のキューリー点よりも低い温度を示すように前記トランスの１次側巻線に流れる電流を制限するステップ（ｃ）と、
を具備する制御方法。
【請求項１１】
請求項６記載の磁気デバイスと、前記チョークコイルの巻線と直列に接続され、駆動信号に従って前記チョークコイルの巻線に電流を流すスイッチング素子と、前記チョークコイルと前記スイッチング素子との接続点に発生する電圧に基づいて出力電圧を生成する出力回路とを含むスイッチング電源回路の制御方法であって、
前記チョークコイルの巻線に流れる電流及び／又は前記出力回路の出力電圧に基づいて前記駆動信号を生成するステップ（ａ）と、
前記温度センサを用いて温度に関する検出結果を得るステップ（ｂ）と、
ステップ（ｂ）において得られる検出結果が前記アモルファス金属のキューリー点よりも低い温度を示すように前記チョークコイルの巻線に流れる電流を制限するステップ（ｃ）と、
を具備する制御方法。
【手続補正２】
【補正対象書類名】明細書
【補正対象項目名】０００９
【補正方法】変更
【補正の内容】
【０００９】
上記課題を解決するため、本発明の第１の観点に係る磁気デバイスは、（ａ）アモルファス金属の磁性体を含むコアと、コアに回巻された１次側巻線及び２次側巻線を含む巻線群とを有するトランスと、（ｂ）１組の１次側端子及び１組の２次側端子と、（ｃ）トランスの１次側巻線の一端と１組の１次側端子の一方との間、又は、トランスの２次側巻線の一端と１組の２次側端子の一方との間に直列に接続されると共に、巻線群の内側又は外側に固定され、アモルファス金属のキューリー点より低い温度で切断されるヒューズとを具備する。
また、本発明の第２の観点に係る磁気デバイスは、（ａ）アモルファス金属の磁性体を含むコアと、コアに回巻された１次側巻線及び２次側巻線を含む巻線群とを有するトランスと、（ｂ）１組の１次側端子及び１組の２次側端子と、（ｃ）巻線群の内側又は外側に固定され、アモルファス金属のキューリー点より低い温度に温度特性の変化点を有する温度センサとを具備する。
【手続補正３】
【補正対象書類名】明細書
【補正対象項目名】００１０
【補正方法】変更
【補正の内容】
【００１０】
さらに、本発明の１つの観点に係るスイッチング電源回路は、本発明の第２の観点に係る磁気デバイスと、トランスの１次側巻線と直列に接続され、駆動信号に従ってトランスの１次側巻線に交流電流を流すスイッチング素子と、トランスの２次側巻線に発生する電圧に基づいて出力電圧を生成する出力回路と、トランスの１次側巻線に流れる電流及び出力回路の出力電圧に基づいて駆動信号を生成する制御回路とを具備し、制御回路が、温度センサを用いて得られる検出結果がアモルファス金属のキューリー点よりも低い温度を示すようにトランスの１次側巻線に流れる電流を制限する。
【手続補正４】
【補正対象書類名】明細書
【補正対象項目名】００１１
【補正方法】変更
【補正の内容】
【００１１】
加えて、本発明の１つの観点に係る制御方法は、本発明の第２の観点に係る磁気デバイスと、トランスの１次側巻線と直列に接続され、駆動信号に従ってトランスの１次側巻線に交流電流を流すスイッチング素子と、トランスの２次側巻線に発生する電圧に基づいて出力電圧を生成する出力回路とを含むスイッチング電源回路の制御方法であって、トランスの１次側巻線に流れる電流及び出力回路の出力電圧に基づいて駆動信号を生成するステップ（ａ）と、温度センサを用いて温度に関する検出結果を得るステップ（ｂ）と、ステップ（ｂ）において得られる検出結果がアモルファス金属のキューリー点よりも低い温度を示すようにトランスの１次側巻線に流れる電流を制限するステップ（ｃ）とを具備する。
【手続補正５】
【補正対象書類名】明細書
【補正対象項目名】００１２
【補正方法】変更
【補正の内容】
【００１２】
本発明の第１の観点によれば、飽和磁束密度が高く放熱性の良いアモルファス金属の磁性体をトランス又はチョークコイルのコアとして使用すると共に、トランス又はチョークコイルの巻線と端子との間に直列に接続されると共に、巻線群の内側又は外側に固定され、アモルファス金属のキューリー点より低い温度で切断されるヒューズを用いることにより、過大な電流が巻線に流れることによる巻線の温度上昇を迅速かつ正確に検出して発熱による事故を防止することができる。
また、本発明の第２の観点によれば、飽和磁束密度が高く放熱性の良いアモルファス金属の磁性体をトランス又はチョークコイルのコアとして使用すると共に、トランス又はチョークコイルの巻線の内側又は外側に固定され、アモルファス金属のキューリー点より低い温度に温度特性の変化点を有する温度センサを用いることにより、過大な電流が巻線に流れることによる巻線の温度上昇を迅速かつ正確に検出して発熱による事故を防止することができる磁気デバイス、及び、そのような磁気デバイスを用いたスイッチング電源回路及びその制御方法を提供することをすることができる。